(57)【要約】【課題】店頭でデモ展示された冷蔵庫が購入された場合でも煩雑な作業をすることなくデモ運転を解除でき、購入者の家庭に設置された後もデモ運転が行われて冷えないことのない冷蔵庫を提供する。【解決手段】冷蔵庫のデモ運転を設定するデモ運転設定手段１３と、設定されたデモの設定回数を記憶するデモ設定回数記憶手段１４と、設定回数が予め決められた回数以上であればデモ運転を決定しないデモ回数運転決定手段１５を備えるため、デモの運転回数が制限され、操作ミスにより不要に何度もデモ運転に設定されることがない。【選択図】図１
2005172297.tif 000002
【特許請求の範囲】
【請求項１】
冷蔵庫のデモ運転を設定するデモ運転設定手段と、前記デモ運転設定手段によって設定された回数を記憶するデモ設定回数記憶手段と、デモ運転を制御する制御手段と、前記デモ設定回数記憶手段によって記憶された回数が予め決められた回数以上であればデモ運転を決定しないデモ回数運転決定手段を備えた冷蔵庫。
【請求項２】
冷蔵庫の通常運転時間の積算時間を計測する運転時間積算手段と、前記デモ回数運転決定手段に代わりに、前記運転時間積算手段により計測された時間が予め決められた時間以上であれば前記デモ運転設定手段によってデモ運転設定されたときにデモ運転を決定しないデモ時間運転決定手段を備えた請求項１記載の冷蔵庫。
【発明の詳細な説明】
【技術分野】
【０００１】
本発明は、デモ機能を備えた冷蔵庫に関するものである。
【背景技術】
【０００２】
近年、店頭において商品宣伝をより効果的に行うためにデモ機能を備えた冷蔵庫が普及している。（例えば、特許文献１参照）。
【０００３】
以下、図面を参照しながら上記従来の冷蔵庫を説明する。
【０００４】
図７は従来の冷蔵庫の制御装置を示す全体構成図である。１は冷蔵庫本体、２は冷蔵庫本体１に取り付けられる冷却器、３は冷気を庫内に強制的に循環させるファンモータ、４は冷却器２に付着した霜の温度を検出し霜取信号を出力する霜取温度検出器、５は冷却器２に付着した霜を取り除くための霜取ヒータ、６は庫内の温度を検出する温度検出器、７は冷凍サイクルの冷媒を圧縮する圧縮機である。９はこの冷蔵庫の制御回路で、温度検出器６より出力された庫内温度検出信号とを受けてファンモータ３と霜取ヒータ５と圧縮機７とを適宜制御する制御手段１０が組み込まれている。１１は、外部より強制的に霜取を行わせることのできる強制霜取端子で、圧縮機７、ファンモータ３、霜取ヒータ５等を停止させるデモ運転を行うか否かを決定する制御方法決定手段１２とともに制御回路９に組み込まれている。
【０００５】
以上のように構成された従来の冷蔵庫について、以下その動作を説明する。
【０００６】
強制霜取端子１０の両端子間を短絡、若しくは開放することによりマイコン（図示せず）に入力の有無を伝達する。電源が投入されると、マイコンの初期化がおこなわれる。このとき強制霜取端子１０による強制霜取の有無を判断し、強制霜取入力が有りの場合にデモフラグＦに“１”がセットされ、制御方法決定手段１１により圧縮機７、ファンモータ３、霜取ヒータ５等を停止させたデモ運転制御が行われる。マイコン初期化時に強制霜取端子１０による強制霜取入力が無しの場合には、デモフラグＦに“０”がセットされ通常運転制御が制御回路９によって行われる。通常運転制御中に強制霜取端子１０による強制霜取入力が有りに設定されたときは、強制霜取開始フラグが“１”セットされ、霜の温度を検出し霜取信号を出力する霜取温度検出器４によって霜取ヒータ５を制御する霜取運転が開始されるのみで、デモ運転制御は行われない。
【特許文献１】特公平７−９２３０９号公報
【発明の開示】
【発明が解決しようとする課題】
【０００７】
しかしながら上記従来の冷蔵庫は、冷蔵庫のデモ運転を行う場合に、電源投入前に強制霜取端子１０を短絡または開放する必要がある。強制霜取端子１０は制御回路９内に設けられており、通常制御回路は冷蔵庫背面にカバーをされてねじどめされており、デモ設定を行うために冷蔵庫背面のカバーをはずしたりビス止めをはずしたりする必要があり煩雑な作業を行う必要があった。また、展示品を購入された場合に強制霜取端子の操作を忘れたまま出荷されると、購入された家庭でデモ運転が解除されず冷蔵庫が冷えないといった不要なクレームを引き起こすことになる。
【０００８】
本発明は上記従来の課題を解決するもので、店頭でデモ展示された冷蔵庫が購入された場合でも煩雑な作業をすることなくデモ運転を解除でき、購入者の家庭に設置された後もデモ運転が行われて冷えないといった不要なクレームを引き起こすことのない冷蔵庫を提供することを目的とする。
【課題を解決するための手段】
【０００９】
上記課題を解決するため、本発明の冷蔵庫は、冷蔵庫のデモ運転を設定するデモ運転設定手段と、前記デモ運転設定手段によって設定された回数を記憶するデモ設定回数記憶手段と、デモ運転を制御する制御手段と、前記デモ設定回数記憶手段によって記憶された回数が予め決められた回数以上であればデモ運転を決定しないデモ回数運転決定手段を備えているので、デモ設定を行うときに冷蔵庫の背面カバーをはずしたりするといった煩雑な作業を行う必要がなく、店頭デモ展示された冷蔵庫が購入されてもデモ運転が解除されれば、再度操作を誤ってデモ運転設定された場合においてもデモ運転が２度と行われることのないためデモ運転のために冷えないといった不要なクレームを引き起こすことがない。
【発明の効果】
【００１０】
本発明の断熱箱体によれば、真空断熱材の経時発生ガスが非常に少なく、また加工性に優れるため、経時信頼性に優れかつ生産性に優れた断熱箱体を得ることができる。また、薄いシート状物質を芯材に用いているので断熱箱体の厚みが薄くなり、断熱箱体の省スペース化になる。
【００１１】
また、形状加工を非常に簡単に行える芯材を用いており、複層、あるいは切り欠き，折り曲げ，窪み，貫通孔等の加工を容易に行うことが可能である。
【００１２】
したがって、必要断熱部に適した真空断熱材を簡単に作製しそれを断熱箱体に適用できることから、断熱箱体に対する真空断熱材の被覆率が向上し断熱箱体の断熱性能も向上するものである。
【００１３】
さらに、薄いシート状芯材を用いているため、断熱箱体内の仕切り板に使用する際にも薄い仕切り板を得ることができ、箱体内スペースの有効利用が可能となる。
【発明を実施するための最良の形態】
【００１４】
請求項１に記載の冷蔵庫の発明は、冷蔵庫のデモ運転を設定するデモ運転設定手段と、前記デモ運転設定手段によって設定された回数を記憶するデモ設定回数記憶手段と、デモ運転を制御する制御手段と、前記デモ設定回数記憶手段によって記憶された回数が予め決められた回数以上であればデモ運転を決定しないデモ回数運転決定手段を備えているので、デモ設定を行うときに冷蔵庫の背面カバーをはずしたりするといった煩雑な作業を行う必要がなく、店頭デモ展示された冷蔵庫が購入されてもデモ運転が解除されれば、再度操作を誤ってデモ運転設定された場合においてもデモ運転が２度と行われることのないためデモ運転のために冷えないといったことが起こりにくくなる。
【００１５】
以下、本発明の実施の形態について、図面を参照しながら説明する。なお、従来と同一構成については、同一符号を付して詳細な説明を省略する。また、この実施の形態によってこの発明が限定されるものではない。
【００１６】
（実施の形態１）
図１は本発明の実施の形態１による冷蔵庫の全体構成図である。また、図２は本発明実施の形態１における機能ブロック図である。なお従来例の構成部分と同じものは同一符号をつけ説明は省略する。
【００１７】
１３は、デモ運転設定手段である。デモ運転設定手段１３は、複数のボタンと表示部からなり、冷蔵庫の庫内温度調節を行ったり、急速冷凍モードを設定したりといった冷蔵庫の状態をコントロールするのに用いられるとともに、複数ボタンの組み合わせや同一ボタンの長押し等で、通常運転から圧縮機７やファンモータ３を停止させるデモ運転に設定することができる。１４はデモ設定回数記憶手段である。デモ設定回数記憶手段１４は制御回路９内に組み込まれ、不揮発性半導体メモリＥＥＰＲＯＭ等で構成されている。デモ運転設定手段１３によりデモ運転が設定され、デモ運転が行われるとデモ運転回数を積算して記憶する。積算された回数は電源のＯＮ／ＯＦＦによってかわることがなく記憶が保持されている。デモ回数運転決定手段１５は制御回路９内のマイコン１６にプログラム化されている。デモ運転設定手段１３によりデモ運転を入れる操作をしたときに、制御回路９内のマイコン１６に予めＲＯＭ化されたデモ設定上限回数以上の値がデモ設定回数記憶手段１４に記憶されている場合は、デモ回数運転決定手段１５によりデモ運転を行わないようにマイコン１６内にプログラム化された制御手段１０によって制御される。
【００１８】
以上のように構成された本実施の形態の冷蔵庫について、以下その動作を図３の動作フローチャート図を用いて説明する。ステップS１で電源投入すると、ステップS２にてデモ運転回数の積算値が記憶されているＥＥＰＲＯＭデータを読み込む。読み込んだデモ運転回数の積算値を電源投入時のデモ運転回数の初期値としてセットする（ステップＳ３）。ステップＳ４にて、デモ設定操作がなされたかどうかを判断する。デモ運転設定手段１３によりデモ運転操作設定がされるとデモ設定フラグＦが”１”にセットされ、デモ運転操作設定がされてない場合はデモ設定フラグＦを”０”にする。デモ設定フラグＦが”０”の場合、温度検出器６より出力された庫内温度検出信号とを受けてファンモータ３と霜取ヒータ５と圧縮機７とを適宜制御する通常運転（ステップＳ８）を行う。ステップＳ４でデモ設定フラグＦが”１”の場合、ステップＳ３でセットされたデモ設定回数に”１”を加算し（ステップＳ５）、デモ設定回数記憶手段１４であるＥＥＰＲＯＭにデモ設定回数として積算値を書き込む。デモ回数運転決定手段１５であるマイコンプログラムはステップＳ６にてデモ設定回数が、予め決められたデモ回数の上限値（例えば”２”）より小さい場合（例えば”１”）は、デモ運転許可として、制御手段１０により圧縮機７、ファンモータ３、霜取ヒータ５等を停止させるデモ運転（ステップＳ７）を行う。デモ設定回数が予め決められたデモ回数の上限値以上の場合（例えば”２”）には、制御手段１０によって通常運転（ステップＳ８）を行う。通常運転（ステップＳ８）中及びデモ運転（ステップＳ７）中は、デモ運転設定手段１３によりデモ運転操作設定がされてデモ設定フラグＦが”１”にセットされているか否かをステップＳ４にもどり周期的にチェックを行う。
【００１９】
以上のように本実施の形態の冷蔵庫は、冷蔵庫のデモ運転を設定するデモ運転設定手段１３と、設定されたデモの設定回数を記憶するデモ設定回数記憶手段と、デモ運転を制御する制御手段１５と、記憶されたデモの設定回数が予め決められた回数以上であればデモ運転を決定しないデモ回数運転決定手段を備えているので、購入先で再度操作を誤ってデモ運転設定された場合においてもデモ運転が繰り返し行われることがなく、デモ運転のために冷えないといった不要なクレームを引き起こすことがない。
【００２０】
（実施の形態２）
図４は本発明の実施の形態２による冷蔵庫の全体構成図である。また、図５は同実施の形態における機能ブロック図である。なお従来例の構成部分及び実施の形態１と同じものは同一符号をつけ説明は省略する。
【００２１】
１７は、デモ時間運転決定手段である。デモ時間運転決定手段１７はマイコン１６内にプログラム化されており、運転時間積算手段１８によって積算された通常運転時間が、予め決められた運転時間を超えるとデモ運転設定手段１３によって、デモ運転するような操作をされてもデモ運転になるような制御を制御手段１０にて行わないようにする。デモ運転時間積算手段１８は、マイコン１６内のタイマーを用いて行われる。デモ運転されているときに一定時間毎にデモ運転時間を積算し記憶する。デモ運転時間積算手段１８は実施の形態１で説明したデモ設定回数記憶手段１４と同じくＥＥＰＲＯＭ等で構成される。
【００２２】
以上のように構成された本実施の形態の冷蔵庫について、以下その動作を図３の動作フローチャート図を用いて説明する。ステップS１で電源投入すると、ステップS２にて通常運転時間の積算値が記憶されているＥＥＰＲＯＭデータを読み込む。読み込んだ通常運転時間の積算値を電源投入時の運転時間の初期値としてセットする（ステップＳ９）。ステップＳ４にて、デモ設定操作がなされたかどうかを判断する。デモ運転設定手段１３によりデモ運転操作設定がされるとデモ設定フラグＦが”１”にセットされ、デモ運転操作設定がされてない場合はデモ設定フラグＦを”０”にする。デモ設定フラグＦが”０”の場合、温度検出器６より出力された庫内温度検出信号とを受けてファンモータ３と霜取ヒータ５と圧縮機７とを適宜制御する通常運転（ステップＳ８）を行う。ステップＳ４でデモ設定フラグＦが”１”の場合、ステップＳ９でセットされた運転時間が、マイコン１６内にＲＯＭ化された予め決められた運転時間の上限値より小さい場合は、デモ運転許可として、制御手段１０により圧縮機７、ファンモータ３、霜取ヒータ５等を停止させるデモ運転（ステップＳ７）を行う。それ以外の場合は、制御手段１０によって通常運転（ステップＳ８）を行う。通常運転制御中は、タイマにより一定時間経過か否かを判断し（ステップＳ１１）、一定時間経過後は、運転時間を加算し、運転時間積算手段１８であるＥＥＰＲＯＭに積算時間を書込み記憶させる。
【００２３】
以上のように本実施の形態の冷蔵庫は、冷蔵庫の通常運転時間の積算時間を計測する運転時間積算手段１８と、運転時間が予め決められた時間以上であればデモ運転設定手段１３によってデモ運転設定されたときにデモ運転を決定しないデモ時間運転決定手段１７を備えているので、在庫品がなくなり店頭デモ展示されたものが購入された場合においても、一旦デモ設定が解除されれば再度デモ運転が２度と入る可能性がきわめて低く、また通常運転されている冷蔵庫が設定ミスでデモ運転に切り替わり冷えないといった不要なクレームを引き起こすことがない。
【産業上の利用可能性】
【００２４】
以上のように、本発明にかかる冷蔵庫は、デモ設定を行うときに冷蔵庫の背面カバーをはずしたりするといった煩雑な作業を行う必要がなく、店頭デモ展示された冷蔵庫が購入されてもデモ運転が解除されれば、再度操作を誤ってデモ運転設定された場合においてもデモ運転が２度と行われることのないためデモ運転のために冷えないといったことが起こりにくくなり、冷蔵庫に限らずデモ運転を行うことのある機器の実使用時のトラブル防止に有用である。
【図面の簡単な説明】
【００２５】
【図１】本発明による冷蔵庫の実施の形態１の全体構成図
【図２】同実施の形態の機能ブロック図
【図３】同実施の形態のフローチャート
【図４】本発明による冷蔵庫の実施の形態２の全体構成図
【図５】同実施の形態の機能ブロック図
【図６】同実施の形態のフローチャート
【図７】従来の冷蔵庫の全体構成図
【符号の説明】
【００２６】
２    冷却器
３    ファンモータ
５    霜取ヒータ
６    温度検出器
７    圧縮機
９    制御回路
１０    制御手段
１３    デモ運転設定手段
１４    デモ設定回数記憶手段
１５    デモ回数運転決定手段
１７    デモ時間運転決定手段
１８    運転時間積算手段
【図１】
2005172297.tif 000003
【図２】
2005172297.tif 000004
【図３】
2005172297.tif 000005
【図４】
2005172297.tif 000006
【図５】
2005172297.tif 000007
【図６】
2005172297.tif 000008
【図７】
2005172297.tif 000009